(57)【要約】【課題】  建物の室内外の壁面で容易に配管できて、壁面に装飾的に取り付けが可能な長方形管の外見を厚板状にした室内外配管用長方形管及びその継手の部品を提供する。【解決手段】  建物内外の壁面で容易に配管できて、壁面に装飾的に取り付けが可能な鋼管、また樹脂管であって、その形状として、断面で略四角の角をＲ曲面に丸めた長方形、又は台形で、縦幅１０〜２０ｍｍで、縦幅と横幅の比率２〜４で、断面積として４〜１０ｃｍ２であって、管の厚さを２〜５ｍｍで、長方形、台形管の外見を略厚板状で、内管を区分なしか、或いは２区分にして、外表面を種々の装飾性模様を呈している家屋内外配管用長方形管及びその継手の部品である。【選択図】図１
2020186810.tif 000002
【特許請求の範囲】
【請求項１】
建物の内外の壁面等で容易に配管できて、特に壁面において装飾的に取り付けが可能な鋼管、また樹脂管であって、大小多種の口径円管の中で、代表して直径が２５ｍｍの断面積に相当する長方形管の形状として、断面で略四角形の角をＲ曲面に丸めた長方形、同じく双口の長方形及び台形で、縦幅１０〜２０ｍｍで、縦幅と横幅の比率２〜４で、断面積として４〜１０ｃｍ２であって、管の厚さを２〜５ｍｍで、長方形管、又は台形管の外見を略厚板状で、外表面を種々の単色及び装飾性模様を呈していることを特徴とする建物内外配管用略長方形管及びその継手の部品。
【請求項２】
略厚板状形状である長方形管、及び台形管の外表面は、周囲の壁面に即した色彩色を呈した状態とし、種々の模様、絵画、及び写真等を直接プリントした状態、及び紙、又は樹脂にプリントしたものを接着剤で貼り付け、建物の周囲に違和感を与えないような装飾性を持たせていることを特徴とする請求項１に記載の建物内外配管用略長方形管及びその継手の部品。
【請求項３】
前記の長方形管、及び台形管は、角部のＲ曲面の幅を２〜４ｍｍで、長さを２〜４ｍであって、前記長方形管及び台形管が接続できる同管形状のエルボ、チーズ、ソケットと接合できる嵌め込み式形状を持たせていることを特徴とする請求項１及び請求項２に記載の建物内外配管用略長方形管の継手部品。
【請求項４】
厚板状長方形管、又は台形管を継ぎ足したり、曲げ、分岐する接合器具、及び封止具としての同管形状のエルボ、チーズ、ソケットの付帯部品の内径は、嵌め込み式接合部において略厚板状形状である長方形管、及び台形管の外形と±０・２ｍｍ差のほぼ同様な寸法であって、前記付帯部品の外表面においても種々の形状や装飾性模様を呈しており、厚板状長方形、台形管を壁面に取付ける金具、及び保温カバーにおいても装飾性を害さないようにして外表面に種々の単色や装飾性模様を呈していることを特徴とする請求項１〜請求項３のいずれかに記載の建物内外配管用略長方形管及びその継手の部品。
【発明の詳細な説明】
【技術分野】
【０００１】  本発明は、建物の室内外の壁面等で容易に配管できて、壁面に装飾的に取り付けが可能な長方形、台形管の外見を略厚板状形状にした室内外配管用略長方形管及びその継手の部品に関するものである。
【背景技術】
【０００２】  一般的に店舗・工場等の水道給排水・汚水・雨水設備・消火設備・エアー配管等、各種施設に使用する管材及び各種管材の接合器具は円形で、鋼管・樹脂管であり、建物内外に配管する場合には外観上思わしくなく、これも一因し、壁・土壌に埋設させる場合が多い。そのために設置においては困難を来す。
さらに、工場等で多数の円管が並列に配管されているが、長方形管は狭いスペースですみ、梱包・輸送・保管コストが小さく経済性は高い。【０００３】  建物の配管は円形の鋼管、ビニール管が一般であり、円形以外の形状のものは少なく、しかし内部に蓄積する固形物の滞留、堆積によることを防ぐことで断面が卵形状のものが提案されている。この卵形状は大径の円弧部と小径の円弧部とを曲線で連結した断面卵形状からなる卵径管のものが提案されている（特許文献１参照）。
給排水用配管等の水配管としての鋼管は、その内面に防食性を付与するために、鋼管の内面を樹脂で被覆したものが使用される。たとえば鋼管の内面に塩化ビニール樹脂を貼り付けたものは、一般に広く使用されているが、配管工事現場にて寒冷な屋外に長時間保管されたり、寒冷地にて使用される場合に、低温での耐衝撃性が低いため塩化ビニール樹脂がダメージを受け、防食性を維持することが難しくなることがある。さらに、内面硬質塩ビ被覆鋼管を使用した後で塩化ビニール樹脂から有害物質が発生しないように、鋼管と塩化ビニール樹脂を分離してそれぞれ個別に廃棄処理を行なう方法が提案されている。【０００４】  そこで塩化ビニール樹脂を使用せず、鋼管の内面を被覆する技術が検討されている。架橋ポリエチレン管に形状復元性を付与し、鋼管内で加熱復元することによって拡径して、鋼管内面を被覆する技術が開示されている。またポリエチレン管に形状復元性を付与して、鋼管内面を被覆する技術が開示されている（特許文献１，２参照）。【０００５】  また、上記の問題点がないものとして管の内側に固形物の蓄積、あるいは腐食の対策の配管技術が大部分であって、装飾性、或いは配管工事での簡素化で、管形状についての提案はほとんどない。
【先行技術文献】
【特許文献】
【０００６】
【特許文献１】公開実用所昭５７−１６４３８０号公報
【特許文献２】特開２００１−９９１２号公報
【特許文献３】特開２００２−２５７２６５号公報
【発明の概要】
【発明が解決しようとする課題】
【０００７】  店舗・工場等において、老朽化や地震等において、床下の埋設配管が漏水した場合、漏水個所の確定は難しく、工事は床面コンクリート剥いでの大がかりの工事を強いられる。さらに工場では機械類の移設や稼働の一時停止、店舗においては陳列物の移動等大きな損害を免れない。
このため、既存の埋設配管を廃止し、水道水にあってはメーター付近から、井水にあってはポンプ近くから、又は支障のない建物近くから分岐し屋外の壁に沿って露出配管され、そこから、さらに屋内へ分岐し使用せざるを得ない。ただし屋外にあっては、冬場の凍結によって管の破裂による漏水が懸念され保温材を必要とする。また屋内の露出配管では見栄えが悪く違和感が生じる。
また、工場等において多数の管を並列に配管が必要なとき、広い配管スペースが求められるが、狭いスペースでも配管できる形状の管が求められる。【０００８】  一般的に住宅・店舗・事務所・工場・倉庫等の水道・井水の給排水・汚水・雨水・消火等、各種施設の設備に使用する管材及び各種管材の接合器具を対象とするもので特殊形状の管材が期待されている。特に工場・店舗・事務所・家屋に埋設した管材が漏水した場合、工事は床面コンクリート剥いでの大がかりの工事をしなくて、簡単に施工ができて、水道工事跡のような状態にはせずに、既存の埋設配管を廃止し、水道水にあっては、建物の内外で装飾性に損傷がないように、また屋内にも簡単に配管ができるように、長方形状のパイプを使用して、屋内の露出配管では見栄えが悪く違和感がないような施工が望まれている。従来の水、ガスの配管での問題である簡易化、装飾性について解決することを目的とする。
【課題を解決するための手段】
【０００９】  住宅・工場・飲食店・事務所・公共施設等建物の内外で使用する給水管・排水管・汚水管・雨水管の他、消防設備・空調設備・機械の駆動にも使われるエアー配管等の大・小様々な口径の円管を対象として長方形管を考案した。建物の内外の壁面等で容易に配管できて、特に壁面において装飾的に取り付けが可能な鋼管、また樹脂管であって、大小多種の口径円管の中で、代表して直径が２５ｍｍの断面積に相当する長方形管で提案した。
その形状として、断面で略四角の角をＲ曲面に丸めた長方形、又は台形で、既存の内径２５ｍｍ円管に相当する断面積を確保するために、縦幅１０〜２０ｍｍで、縦幅と横幅の比率２〜４で、断面積として４〜１０ｃｍ２であって、管の厚さを２〜５ｍｍで、長方形管、台形管の外見を略厚板状で、内管を区分なしか、或いは２区分にして、外表面を種々の装飾性模様を呈している建物内外配管用長方形管及びその継手の部品である。【００１０】  前記の長方形管、及び台形管は、角部のＲ曲面の幅を２〜４ｍｍで、長さを２〜４ｍであって、前記長方形及び台形管が接続できる同管形状のエルボ、チーズ、ソケットの付帯部品と接合できる嵌め込み式形状になっている。【００１１】  略厚板状形状である長方形管、及び台形管の外表面は、周囲の壁面に即した色彩色を呈した状態、及び種々の模様、及び絵画、及び写真を直接プリントした状態、及び紙、又は樹脂にプリントしたものを接着剤で貼り付けて、建物壁面の周囲に違和感を与えないような装飾性を持たせている。【００１２】  厚板状長方形管、又は台形管を継ぎ足したり、曲げ、分岐の接合器具、及び封止具しての同管形状のエルボ、チーズ、ソケットの付帯部品の内径は、嵌め込み式接合部において略厚板状形状である長方形管、及び台形管の外形とほぼ同寸法であって、前記付帯部品の外表面においても種々の装飾性模様を呈しており、厚板状長方形管、台形管を壁面に取付ける金具、及び保温カバーにおいても装飾性を害さないようにして外表面に種々の装飾性模様を呈している。
【発明の効果】
【００１３】  本発明によれば、建物内の配管の場合見栄えが重要な要素となり、特に客が訪れる店舗・レストラン等において、違和感のないデザインも必要になる。また、多数の配管が必要な工場の場合、狭いスペースでも多くの配管を可能にするため、管の断面を長方形とし、その四隅を丸め外見を板状に造ることにより問題を解決し、さらに各種の単色や絵模様に着色し屋内外の壁色に合わせたカラ―、絵文字を選択することで使用用途が広がり、また、種々の形状をした継ぎ手の部品により、違和感も減少させると同時に新たな空間を創造できる。【００１４】  また、一般的に住宅・店舗・事務所・工場・倉庫等の水道・井水等の給排水・汚水・雨水・消火等、各種施設の設備に使用する管材及び各種管材の接合器具を対象に使用できて、特に配管が壁内、あるいは地中に埋設せずに、建物の壁面に直接配管できるので、工事も簡単で、工期も短時間で済む、さらに長方形の板状であるため、円管より梱包や輸送・保管でコストが軽減される。また狭い敷地での埋設配管は、機械掘削ができず、手掘りであるが、掘削幅が狭くてすみ掘削労力が大幅に減少し、時間の短縮が見込まれる。
【図面の簡単な説明】
【００１５】
【図１】建物内配管用長方形管（単管）及びその継手の部品の平面図である。
【図２】建物内配管用長方形管（単管）及びその継手の部品の斜視図である。Ａ：長方形管（単管）、Ｂ：縦エルボ、Ｃ：横エルボ、Ｄ：縦チーズ、Ｅ：横チーズ  Ｆ：ソケット、Ｇ：変形ソケット
【図３】建物内配管用長方形管（双管）及びその継手の部品の斜視図である。Ａ：長方形管（二管）、Ｂ：縦エルボ、Ｃ：横エルボ、Ｄ：縦チーズ、Ｅ：横チーズ  Ｆ：ソケット、Ｇ：変形ソケット
【図４】建物内配管用台形管及びその継手の部品の斜視図である。Ａ：台形管、Ｂ：縦エルボ、Ｃ：横エルボ、Ｄ：縦チーズ、Ｅ：横チーズ  Ｆソケット、：Ｇ：変形ソケット
【図５】建物内配管用長方形管（単管）及びその継手の部品を使用した組立状況の斜視図である。
【図６】建物内配管用長方形管（単管）及び継手の表面に絵柄模様を示した状態図である
【図７】継手の外形を種々の形に創作した異形継ぎ手である。
【図８】建物の外壁に設置した既存の雨水管と右手に長方形雨水管を配管した状態を示したものである。
【図９】建物内の壁面に取り付けた配管状態を示す図である。
【図１０】建物外に設置した壁面及び地中に埋設した配管状態を示す図である。
【発明を実施するための形態】
【００１６】  図１は、家屋・工場・店舗・事務所等各施設の配管に使用する長方形管（単管）及びその継手の部品の平面図である。
図２〜図４は、図１の施設に用いる長方形管及びその継手の部品の斜視図で、図３の形状は、二口の断面をから成り、口径の大きい管や、高い流圧を考慮したものである。
図４は長方形管及び各継手の、一方の縦側面の角を台形状に切り落とし、壁面配管とした場合の見栄えを確保したものである。
図５は、本発明を適用して得られる各施設の配管に使用する長方形管及びその継手の部品の例を模式的に示す斜視図である。
図６は、長方形管及び継手の部品に絵柄模様を示した図で、室内でも違和感なく使用でき、使用に際して建物の種類や用途に応じて選択の幅を広げたものである。
図７は、継手に各種の形状を加えたものである。
図８は、既存の雨水管と長方形管の両方を比較し記した図である。
図９は、家屋内において長方形管及びその継手の部品を配管した状態を表したもの。
図１０は、地中埋設の状況、及び外壁に配管した状態図である。
【実施例１】
【００１７】  図９、図１０に示したように、建物の内外の壁面で容易に配管でき、壁面の色や用途に応じて選択した色彩の長方形管及び継手の部品を取り付けた図であり、その形状として、図１に示すように断面で略四角形の角をＲ曲面に丸めた長方形で、長方形管の内径が縦幅１２・５ｍｍ、横幅４０ｍｍで、縦幅と横幅の比率は２．３とし、断面積として５．０ｃｍ２であって、管の厚さを３．５ｍｍで、長方形の外見を略厚板状で、外表面を種々の装飾的模様又は単一色を呈している建物の内外配管用長方形管及びその継手の部品であった。【００１８】  図１に示すよう前記の長方形管（単管）Ａは、角部のＲ曲面の幅を２ｍｍで、縦１２・５ｍｍ、横４０ｍｍ、長さを４ｍの樹脂管であって、前記長方形管が接続できる同管形状のエルボＢ，Ｃ、チーズＤ，Ｅ、ソケットＦ，Ｇの付帯部品と接合できる嵌め込み式形状になった。【００１９】  略厚板状形状である長方形管の外表面は、図６に示すように周囲の壁面等に即した色彩色を呈した状態、及び種々の模様を直接プリントした状態の樹脂にプリントしたもので、建物の周囲に違和感を与えないような装飾性を持たせた。【００２０】  図５に示すように厚板状長方形管を継ぎ足したり、曲げ、分岐する接合器具、及び封止具としての同管形状のエルボＢ・Ｃ、チーズＤ・Ｅ、ソケットＦ・Ｇの付帯部品で、内径は、図９、図１０に示すように建物の外部と内部を装飾した長方形管を嵌め込む接合部において、長方形管の外形とほぼ同寸法であって、前記付帯部品の外表面においても種々の装飾性模様を呈しており、厚板状長方形管を壁面に取付ける金具、及び保温カバーにおいても装飾性を害さないようにして外表面に種々の装飾性模様を呈した。
【実施例２】
【００２１】  図３は、図９、図１０に示すように、建物内外の壁面で容易に配管できて、壁面に装飾的に取り付けが可能な樹脂管である。その形状として、断面で略四角形の角をＲ曲面に丸めた長方形で、内径縦幅１２・５ｍｍ、横幅２１ｍｍの二口で、断面積として約５・２６ｃｍ２である。管の厚さは３・５ｍｍで、長方形の外見を略厚板状で、管内部は流圧や大径管を考慮し２区分とし、外表面を種々の装飾性模様を呈している建物の内外配管用長方形管及びその継手の部品であった。【００２２】  図３に示すよう前記の長方形管（双口管）Ａは、角部のＲ曲面の幅を２ｍｍで、縦１２・【００２２】  図３に示すよう前記の長方形管（双口管）Ａは、角部のＲ曲面の幅を２ｍｍで、縦１２・５ｍｍ、約横２１ｍｍの二口で、長さを４ｍの樹脂管であって、前記長方形管が接続できる同管形状のエルボＢ，Ｃ、チーズＤ，Ｅ、ソケットＦ，Ｇの付帯部品と接合できる嵌め込み式形状になった。【００２３】  略厚板状形状である長方形管の外表面は、図９に示すように周囲の壁面に即した色彩色を呈した状態、及び種々の絵画を直接プリントし、壁面の周囲に違和感を与えないような装飾性を持たせた。【００２４】  図３に示すように厚板状長方形管（双口）を継ぎ足したり、曲げ、分岐の接合器具、及び封止具としての同管形状のエルボ、チーズ、ソケットの付帯部品の内径は、図９、図１０に示すよう建物の外部と内部を装飾した長方形管を嵌め込む接合部において略厚板状形状である長方形管の外形とほぼ同寸法であって、前記付帯部品の外表面においても種々の装飾性模様を呈しており、厚板状長方形管を壁面に取付ける金具、及び保温カバーにおいても装飾性を害さないようにして外表面に種々の装飾性模様を呈した。
【実施例３】
【００２５】  図４に示すように、建物の内外の壁面で容易に配管できて、壁面に装飾的に取り付けが可能な鋼管、また樹脂管であって、その形状として、図４に示すように断面の形状は角をＲ曲面に丸め、縦面・横面をそれぞれを６ｍｍ、１０ｍｍの幅で両端を切り落とした台形状で、横面をそれぞれ４６ｍｍ・２６ｍｍとし、断面積として５・１５ｃｍ２であって、管の厚さを３・５ｍｍのビニール管である。台形管の外見を略厚板状で、内管を区分せず、外表面を種々の装飾性模様を呈している建物内外に配管する台形状の管及び同形の継手の部品である。【００２６】  前記の台形管は、角部のＲ曲面の幅を２ｍｍで、長さは４ｍであって、この管を適宜切断して、台形加管とその部品をつないで配管を伸ばし、図９のように屋内に配管した。前記台形管が接続できる同管形状のエルボ、チーズ、ソケットの付帯部品と接合できる嵌め込み式形状にした。【００２７】  略厚板状形状である台形管の外表面は、周囲の壁面に即した色彩色とし、又種々の模様、及び絵画・写真等をプリントし、建物の周囲に違和感を与えないような装飾性を持たせた。【００２８】  厚板状台形管を継ぎ足したり、曲げ、分岐する接合器具、及び同管形状のエルボ、チーズ、ソケットの付帯部品の内径は、嵌め込み式接合部において略厚板状形状である台形管の外形とほぼ同寸法であって、前記付帯部品の外表面においても種々の装飾性模様を呈しており、厚板状長方形、台形管を壁面に取付ける金具、及び保温カバーにおいても装飾性を害さないようにして外表面に種々の装飾性模様を呈した。
【符号の説明】
【００２９】  １長方形管・継手平面図
２長方形管・継手斜視図（単管）
３長方形管・継手斜視図（双口管）
４長方形管・継手斜視図（台形管）
５長方形管・継手組立て斜視図
６長方形管・継手絵模様図
７異形継手
８雨水管（既存円管及び長方形管）
９屋内壁面配管図
１０屋外壁面・地中埋設配管図
１１長方形管
１２既存円形管
１３エルボ（縦）
１４エルボ（横
１５チーズ（縦）
１６チーズ（横）
１７ソケット
１８円管接続ソケット
１９窓
２０壁面
２１床
２２土中
２３メーター
【図１】
2020186810.tif 000003
【図２】
2020186810.tif 000004
【図３】
2020186810.tif 000005
【図４】
2020186810.tif 000006
【図５】
2020186810.tif 000007
【図６】
2020186810.tif 000008
【図７】
2020186810.tif 000009
【図８】
2020186810.tif 000010
【図９】
2020186810.tif 000011
【図１０】
2020186810.tif 000012